(57)【要約】【課題】  装飾模様に自然界の木漏れ日に似た不規則に変化する光彩効果を発揮させるとともに装飾模様を可視領域の光の色で輝光表示でき、かつ変化に富んだ見栄えの良い光学的装飾が可能な装飾物品を提供する。【解決手段】  製品を象る部品１２の天板部上面に装飾基材１１を設け、この装飾基材１１を含めた部品１２の外表面を透光性のカバー部材１２により覆う。そして、装飾基材１１のカバー部材１３と対向する面に形成された装飾模様１４を、三角屋根型の三次元形状を呈する複数の凹状反射面１４１をカバー部材１２と対向する面に沿い二次元方向に配列形成することで構成し、この複数の反射面１４１で反射されて装飾基材１１及びカバー部材１３を通し外側へ透過する反射光の光彩及び輝度に１／ｆゆらぎに相当して不規則に変化する光の明暗模様を生じさせる。さらに装飾模様１４を覆う光学加飾層１６を設ける。【選択図】  図６
2010023448.tif 000002
【特許請求の範囲】
【請求項１】
製品を象る部品と、
前記部品に該部品の外表面の少なくとも一部を覆うように設けられた透光性の装飾基材と、
前記部品に前記装飾基材を含めた前記部品の外表面を覆うように設けられた透光性のカバー部材とを備え、
前記カバー部材の内面と対向する前記装飾基材の面を光入射面とし、前記光入射面と反対の面である前記部品の外表面と対向する面の少なくとも一部に装飾模様が形成され、
前記装飾模様は、前記カバー部材を通して入射される入射光を反射しまたは透過するとともに前記反射される光の光彩・輝度に不規則に変化する１／ｆゆらぎを与えて前記装飾模様に光の明暗を生じさせるための三次元形状を呈する複数の反射面を前記光入射面と反対の面に沿い二次元方向に配列形成することで構成されている、
ことを特徴とする装飾物品。
【請求項２】
前記装飾基材の少なくとも前記装飾模様と対向する前記部品の表面箇所に前記装飾基材を透過してくる光を前記装飾基材に向け再反射させるとともに当該反射光の光彩・輝度に不規則に変化する１／ｆゆらぎを与えて前記装飾模様に光の明暗を強調するための三次元形状を呈する複数の反射面が前記部品の表面に沿い二次元方向に配列形成されていることを特徴とする請求項１に記載の装飾物品。
【請求項３】
前記カバー部材の外表面は無色透明または有色透明な塗膜層で覆われていることを特徴とする請求項１または２記載の装飾物品。
【請求項４】
前記装飾模様の前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記光入射面と反対の面に沿い二次元方向にランダムなピッチで配列されていることを特徴とする請求項１乃至３の何れか１項に記載の装飾物品。
【請求項５】
前記装飾基材の光入射面と反対の面及び前記装飾模様の少なくとも前記装飾模様の表面箇所に前記反射面で反射される反射光の光彩、輝度を助長する光学加飾層が設けられていることを特徴とする請求項１乃至４の何れか１項に記載の装飾物品。
【請求項６】
前記光学加飾層と前記部品との間に空間が形成されていることを特徴とする請求項５記載の装飾物品。
【請求項７】
前記装飾基材の光入射面と反対の面と対向する前記部品の外表面箇所に前記反射面で生成される反射光の光彩、輝度の変化を助長するための光学加飾層が設けられていることを特徴とする請求項１乃至４の何れか１項に記載の装飾物品。
【請求項８】
前記装飾基材の光入射面と反対の面と該面に対向する前記光学加飾層との間に空間が形成されていることを特徴とする請求項７記載の装飾物品。
【請求項９】
前記光学加飾層は反射フィルムからなることを特徴とする請求項５又は７記載の装飾物品。
【請求項１０】
前記反射フィルムは、当該反射フィルムで反射される光にカラー色が発現できるように着色されていることを特徴とする請求項９記載の装飾物品。
【請求項１１】
前記光学加飾層は、低屈折の薄膜層と高屈折の薄膜層を交互に複数積層することで構成され、前記積層される薄膜層の屈折率と膜厚を変えることで特定波長の色の可視光を前記装飾模様の箇所に向けて反射するようにしたことを特徴とする請求項５または７記載の装飾物品。
【請求項１２】
製品を象る部品と、
前記部品に該部品の外表面を覆うように設けられた透光性のカバー部材とを備え、
前記カバー部材の内面の少なくとも一部に装飾模様が形成され、
前記装飾模様は、前記カバー部材を通して入射される入射光を反射しまたは透過するとともに前記反射する光の輝度に不規則に変化する１／ｆゆらぎを与えて前記装飾模様に光の明暗を生じさせるための三次元形状を呈する複数の反射面を前記カバー部材の内面に沿い二次元方向に配列形成することで構成されている、
ことを特徴とする装飾物品。
【請求項１３】
前記カバー部材の少なくとも前記装飾模様と対向する前記部品の表面箇所に前記カバー部材を透過してくる光を前記カバー部材に向け再反射させるとともに当該反射光の光彩・輝度に不規則に変化する１／ｆゆらぎを与えて前記装飾模様に光の明暗を強調するための三次元形状を呈する複数の反射面が前記部品の表面に沿い二次元方向に配列形成されていることを特徴とする請求項１２記載の装飾物品。
【請求項１４】
前記カバー部材の外表面は無色透明または有色透明な塗膜層で覆われていることを特徴とする請求項１２または１３記載の装飾物品。
【請求項１５】
前記装飾模様の前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記カバー部材の内面に沿い二次元方向にランダムなピッチで配列されていることを特徴とする請求項１２乃至１４の何れか１項に記載の装飾物品。
【請求項１６】
前記カバー部材の内面及び前記装飾模様の少なくとも前記装飾模様の表面箇所に前記反射面で反射される反射光の光彩、輝度を助長する光学加飾層が設けられていることを特徴とする請求項１２乃至１４の何れか１項に記載の装飾物品。
【請求項１７】
前記光学加飾層と前記部品との間に空間が形成されていることを特徴とする請求項１６記載の装飾物品。
【請求項１８】
少なくとも前記装飾模様と対向する前記部品の外表面箇所に前記反射面で生成される反射光の光彩、輝度の変化を助長するための光学加飾層が設けられていることを特徴とする請求項１２乃至１４の何れか１項に記載の装飾物品。
【請求項１９】
前記光学加飾層と該光学加飾層に対向する前記装飾模様との間に空間が形成されていることを特徴とする請求項１８記載の装飾物品。
【請求項２０】
前記光学加飾層は反射フィルムからなることを特徴とする請求項１６または１８記載の装飾物品。
【請求項２１】
前記反射フィルムは、当該反射フィルムで反射される光にカラー色が発現できるように着色されていることを特徴とする請求項２０記載の装飾物品。
【請求項２２】
前記光学加飾層は、低屈折の薄膜層と高屈折の薄膜層を交互に複数積層することで構成され、前記積層される薄膜層の屈折率と膜厚を変えることで特定波長の色の可視光を前記装飾模様の箇所に向けて反射するようにしたことを特徴とする請求項１６または１８記載の装飾物品。
【発明の詳細な説明】
【技術分野】
【０００１】
本発明は、化粧品容器の蓋の装飾、車両用インストルメントパネルの装飾または家具の扉表面や引き出し用鏡板の装飾、携帯電話機本体の表面の装飾、電化製品の表面の装飾などに使用される装飾物品に関し、さらに詳しくは、光透過性基材に形成された装飾用の模様パターンを可視領域の色光を利用して任意の色で輝光表示できるようにした装飾物品に関するものである。
【背景技術】
【０００２】
従来の装飾物品、例えば自動車用装飾パネルとして、乗用車の後部端のリアコンビネーションランプ間に装着されるガーニッシュが知られている（特許文献１参照）。
【０００３】
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面を形成する。
【０００４】
このような装飾パネルにおいては、カバーを透過した光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００５】
しかし、このような従来の装飾パネルでは、従来の装飾パネルを構成する取付基材のメタリック塗膜面は凹球状の凹面鏡からなり、カバーの凹凸模様で散乱されて入射される光を凹面鏡で集約された反射光、すなわち凹面鏡の大きさに応じた径のスポット光として反射するものであるため、このスポット状反射光の輝度はほとんど均一であるとともに、装飾パネルに対し視点を変えてもスポット光の輝度は変化しない。その結果、インストルメントパネルやドアートリムなどの自動車内装部品の装飾や電化製品などの装飾には変化が乏しく、かつ見栄えが低いという問題があった。
【０００６】
本発明は上記のような従来の問題を解決するためになされたもので、装飾模様に自然界の木漏れ日に似た不規則に変化する光彩効果を発揮させるとともに装飾模様を可視領域の光の色で輝光表示でき、かつ装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる装飾物品を提供することを目的とする。
【課題を解決するための手段】
【０００７】
上記の目的を達成するため、請求項１の発明は、装飾物品であって、製品を象る部品と、前記部品に該部品の外表面の少なくとも一部を覆うように設けられた透光性の装飾基材と、前記部品に前記装飾基材を含めた前記部品の外表面を覆うように設けられた透光性のカバー部材とを備え、前記カバー部材の内面と対向する前記装飾基材の面を光入射面とし、前記光入射面と反対の面である前記部品の外表面と対向する面の少なくとも一部に装飾模様が形成され、前記装飾模様は、前記カバー部材を通して入射される入射光を反射しまたは透過するとともに前記反射する光の光彩・輝度に不規則に変化する１／ｆゆらぎを与えて前記装飾模様に光の明暗を生じさせるための三次元形状を呈する複数の反射面を前記光入射面と反対の面に沿い二次元方向に配列形成することで構成されていることを特徴とする。
【０００８】
請求項２の発明は、請求項１記載の装飾物品において、前記装飾基材の少なくとも前記装飾模様と対向する前記部品の表面箇所に前記装飾基材を透過してくる光を前記装飾基材に向け再反射させるとともに当該反射光の光彩・輝度に不規則に変化する１／ｆゆらぎを与えて前記装飾模様に光の明暗を強調するための三次元形状を呈する複数の反射面が前記部品の表面に沿い二次元方向に配列形成されていることを特徴とする。
【０００９】
請求項３の発明は、請求項１または２記載の装飾物品において、前記カバー部材の外表面は無色透明または有色透明な塗膜層で覆われていることを特徴とする。
【００１０】
請求項４の発明は、請求項１乃至３の何れか１項に記載の装飾物品において、前記装飾模様の前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記光入射面と反対の面に沿い二次元方向にランダムなピッチで配列されていることを特徴とする。
【００１１】
請求項５の発明は、請求項１乃至４の何れか１項に記載の装飾物品において、前記装飾基材の光入射面と反対の面及び前記装飾模様の少なくとも前記装飾模様の表面箇所に前記反射面で反射される反射光の光彩、輝度を助長する光学加飾層が設けられていることを特徴とする。
【００１２】
請求項６の発明は、請求項５記載の装飾物品において、前記光学加飾層と前記部品との間に空間が形成されていることを特徴とする。
【００１３】
請求項７の発明は、請求項１乃至４の何れか１項に記載の装飾物品において、前記装飾基材の光入射面と反対の面と対向する前記部品の外表面箇所に前記反射面で生成される反射光の光彩、輝度の変化を助長するための光学加飾層が設けられていることを特徴とする。
【００１４】
請求項８の発明は、請求項７記載の装飾物品において、前記装飾基材の光入射面と反対の面と該面に対向する前記光学加飾層との間に空間が形成されていることを特徴とする。
【００１５】
請求項９の発明は、請求項５又は７記載の装飾物品において、前記光学加飾層は反射フィルムからなることを特徴とする。
【００１６】
請求項１０の発明は、請求項９の装飾物品において、前記反射フィルムは、当該反射フィルムで反射される光にカラー色が発現できるように着色されていることを特徴とする。
【００１７】
請求項１１の発明は、請求項５または７記載の装飾物品において、前記光学加飾層は、低屈折の薄膜層と高屈折の薄膜層を交互に複数積層することで構成され、前記積層される薄膜層の屈折率と膜厚を変えることで特定波長の色の可視光を前記装飾模様の箇所に向けて反射するようにしたことを特徴とする。
【００１８】
請求項１２の発明は、装飾物品であって、製品を象る部品と、前記部品に該部品の外表面を覆うように設けられた透光性のカバー部材とを備え、前記カバー部材の内面の少なくとも一部に装飾模様が形成され、前記装飾模様は、前記カバー部材を通して入射される入射光を反射しまたは透過するとともに前記反射する光の光彩・輝度に不規則に変化する１／ｆゆらぎを与えて前記装飾模様に光の明暗を生じさせるための三次元形状を呈する複数の反射面を前記カバー部材の内面に沿い二次元方向に配列形成することで構成されていることを特徴とする。
【００１９】
請求項１３の発明は、請求項１２記載の装飾物品において、前記カバー部材の少なくとも前記装飾模様と対向する前記部品の表面箇所に前記カバー部材を透過してくる光を前記カバー部材に向け再反射させるとともに当該反射光の光彩・輝度に不規則に変化する１／ｆゆらぎを与えて前記装飾模様に光の明暗を強調するための三次元形状を呈する複数の反射面が前記部品の表面に沿い二次元方向に配列形成されていることを特徴とする。
【００２０】
請求項１４の発明は、請求項１２または１３記載の装飾物品において、前記カバー部材の外表面は無色透明または有色透明な塗膜層で覆われていることを特徴とする。
【００２１】
請求項１５の発明は、請求項１２乃至１４の何れか１項記載の装飾物品において、前記装飾模様の前記複数の反射面は、三角屋根型、台形屋根型、半球屋根型、半楕円球屋根型等の同一深さまたは深さの異なる凹状の三次元形状及び／または同一高さまたは高さの異なる凸状の三次元形状を呈し、当該反射面は前記カバー部材の内面に沿い二次元方向にランダムなピッチで配列されていることを特徴とする。
【００２２】
請求項１６の発明は、請求項１２乃至１４の何れか１項に記載の装飾物品において、前記カバー部材の内面及び前記装飾模様の少なくとも前記装飾模様の表面箇所に前記反射面で反射される反射光の光彩、輝度を助長する光学加飾層が設けられていることを特徴とする。
【００２３】
請求項１７の発明は、請求項１６記載の装飾物品において、前記光学加飾層と前記部品との間に空間が形成されていることを特徴とする。
【００２４】
請求項１８の発明は、請求項１２乃至１４の何れか１項に記載の装飾物品において、少なくとも前記装飾模様と対向する前記部品の外表面箇所に前記反射面で反射される反射光の光彩、輝度の変化を助長するための光学加飾層が設けられていることを特徴とする。
【００２５】
請求項１９の発明は、請求項１８記載の装飾物品において、前記光学加飾層と該光学加飾層に対向する前記装飾模様との間に空間が形成されていることを特徴とする。
【００２６】
請求項２０の発明は、請求項１６または１８記載の装飾物品において、前記光学加飾層は反射フィルムからなることを特徴とする。
【００２７】
請求項２１の発明は、請求項２０の装飾物品において、前記反射フィルムは、当該反射フィルムで反射される光にカラー色が発現できるように着色されていることを特徴とする。
【００２８】
請求項２２の発明は、請求項１６または１８記載の装飾物品において、前記光学加飾層は、低屈折の薄膜層と高屈折の薄膜層を交互に複数積層することで構成され、前記積層される薄膜層の屈折率と膜厚を変えることで特定波長の色の可視光を前記装飾模様の箇所に向けて反射するようにしたことを特徴とする。
【発明の効果】
【００２９】
本発明の装飾物品においては、製品を象る部品にその外表面の少なくとも一部が覆われるように装飾基材を設け、この装飾基材を含めた部品の外表面を透光性のカバー部材により覆い、そして、装飾基材に形成された装飾模様を、三次元形状を呈する複数の反射面を光入射面と反対の面に沿い二次元方向に配列形成することで構成し、この複数の反射面で反射されて装飾基材及びカバー部材を通し外側へ透過する反射光の光彩及び輝度に１／ｆゆらぎに相当して不規則に変化する光の明暗模様を生じさせる。
【００３０】
よって、本発明によれば、装飾模様に生じる光の明暗模様に自然界の木漏れ日に似た不規則に変化する光彩効果を発揮させることができるとともに装飾模様を可視領域の光の色で輝光表示でき、かつ装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【００３１】
また、本発明の装飾物品においては、製品を象る部品の外表面を覆う透光性のカバー部材の内面に形成された装飾模様を、三次元形状を呈する複数の反射面を光入射面と反対の面に沿い二次元方向に配列形成することで構成し、この複数の反射面で反射されてカバー部材を通し外側へ透過する反射光の光彩及び輝度に１／ｆゆらぎに相当して不規則に変化する光の明暗模様を生じさせる。
【００３２】
よって、本発明によれば、装飾模様に生じる光の明暗模様に自然界の木漏れ日に似た不規則に変化する光彩効果を発揮させることができるとともに装飾模様を可視領域の光の色で輝光表示でき、かつ装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【００３３】
また、本発明の装飾物品においては、少なくとも装飾模様と対向する部品の表面箇所に複数の反射面が二次元方向に配列形成したので、カバー部材を透過してくる光をカバー部材へ再反射させるとともに当該反射光の光彩及び輝度に不規則に変化する１／ｆゆらぎを生じさせることができ、これにより、装飾模様に生じる光の明暗模様の光彩効果を、装飾模様を複数の反射面で構成する場合よりも更に向上でき、装飾物品の光学的装飾性を更に向上できる。
【００３４】
また、本発明の装飾物品においては、カバー部材の外表面に無色透明または有色透明な塗膜層を形成したので、装飾物品の見栄えを色彩の面から一層強調でき、装飾物品の光学的装飾性を向上できる。
【００３５】
また、本発明の装飾物品においては、装飾模様を構成する複数の反射面が同一深さまたは深さの異なる凹状の三次元形状もしくは同一高さまたは高さの異なる凸状の三次元形状を呈し、この反射面は二次元方向にランダムなピッチで配列されているため、装飾模様の自然な光彩効果を更に向上でき、装飾物品の光学的装飾性を向上できる。
【００３６】
また、本発明の装飾物品においては、光学加飾層を備えているので、反射面で反射される反射光の光彩・輝度が助長され、装飾物品の光学的装飾性を更に向上できる。
【発明を実施するための最良の形態】
【００３７】
次に、本発明にかかる装飾物品の実施の形態について図面を参照して説明する。なお、本発明の装飾物品は、以下に説明する実施の形態に限定されるものではない。
（実施の形態１）
図１は本発明を宝石箱の蓋などに適用した場合の一例を示す装飾物品の平面図、図２は図１の２−２線に沿う拡大断面図、図３は本実施の形態１における装飾基材の光学加飾層を取り除いて装飾基材を裏面（光入射面と反対の面に相当する）側から見た時の反射部の一例を示す一部の拡大斜視図、図４は図３の４−４線に沿う箇所のカバー部材、装飾基材、光学加飾層及び部品を含めた装飾物品の一部を拡大して示す断面図、図５は図３の５−５線に沿う箇所のカバー部材、装飾基材、光学加飾層及び部品を含めた装飾物品の一部を拡大して示す断面図、図６は本実施の形態１における装飾物品の反射部及び光学加飾層の光に対する作用を模式的に示す断面図である。
【００３８】
本実施の形態１に示す装飾物品１０は、図１及び図２に示すように、装飾基材１１、部品１２、カバー部材１３、光学加飾層１６などを含んで構成される。
【００３９】
部品１２は、図１及び図２に示すように、宝石箱の蓋等に相当する製品を象るもので、矩形状の天板部１２１と、この天板部１２１の周縁に下方へ直角に折り曲げて一体に形成された縁部１２２とを備える。このような部品１２は非透光性の樹脂材により成形されている。
【００４０】
装飾基材１１は、部品１２に光学的装飾を与えるもので、図２に示すように、アクリルやポリカーボネートなどの透光性の合成樹脂材またはガラス等の透光材からなり、部品１２の天板部１２１の上面全域を覆う大きさの表面積を有する矩形板状を呈している。
【００４１】
装飾基材１１の光入射面（上面）１１ａと反対の面である裏面１１ｂには、例えばモルフォ蝶をデザイン化してなる装飾模様１４が形成されている。また、装飾模様１４を含む装飾基材１１の裏面１１ｂ（部品１２の天板部１２１の上面と対向する面）には、装飾模様１４を含めた裏面１１ｂの全域が覆われるように光学加飾層１６が設けられている。
【００４２】
光学加飾層１６は、後述する反射面１４１で反射される反射光の光彩、輝度を助長するもので、図６に示すように、低屈折の薄膜層１６１と高屈折の薄膜層１６２を交互に複数、例えば５〜１０層積層することで構成される。このような構造の光学加飾層１６は、積層される薄膜層１６１、１６２の屈折率と膜厚を変えることで特定の色の波長の光を回折し装飾基材１１の裏面１１ｂに向けて再反射する回折機能を備えている。
【００４３】
また、光学加飾層１６と部品１２との間には、０．２ｍｍ以上１０ｍｍ以下の空間１８が設けられている。
【００４４】
カバー部材１３は、装飾基材１１を保持するとともに装飾基材１１を含めた部品１２の外表面の全域を覆うもので、図２に示すように、装飾基材１１及び部品１２の天板表面全域を覆う表面積の天板部１３１と、この天板部１３１の周縁に下方へ直角に折り曲げられ部品１２の縁部１２２を覆うように形成された縁部１３２とを備える。このようなカバー部材１３は、無色透明または有色透明な透光性の樹脂材により成形されている。
【００４５】
また、天板部１３１及び縁部１３２を含むカバー部材１３の外表面は、図４〜図６に示すように、ワインカラーやシルバーなどの塗装膜１７で覆われている。
【００４６】
また、装飾基材１１はカバー部材１３内に、その天板部１３１の内面に接触した状態に装着されている。
【００４７】
なお、装飾基材１１の成形に使用される材質は、無色透明な合成樹脂材やガラスなどに限らず、有色透明または有色半透明な材料で成形することができる。
【００４８】
装飾模様１４は、図２及び図３に示すように、装飾基材１１の光入射面１１ａと反対の面１１ｂに、三角屋根型の三次元形状を呈する複数の反射面１４１を反対の面１１ｂに沿いランダムなピッチで配列形成することで構成される。これにより、反射面１４１を装飾基材１１の光入射面１１ａ側から見た場合、反射面１４１の光学加飾層１６との界面１４１ａは凹状の三次元形状を呈することになる。
【００４９】
このような反射面１４１は、装飾基材１１にその光入射面１１ａ側から入射された入射光を反射または透過するとともに当該反射する光の光彩・輝度に１／ｆゆらぎに相当して不規則に変化する光の明暗模様を生成し、装飾模様１４に光の明暗模様を付けるためのものである。
【００５０】
次に、反射面１４１で反射される反射光の光彩・輝度に不規則に変化させて装飾模様１４に光の明暗模様を生じさせる場合の具体例について図３〜図５を参照して説明する。
【００５１】
反射面１４１は、図３に示すように、三角屋根型の基本形状を呈し、この基本形状に１／ｆゆらぎを生じさせるのに必要な凹状の三次元形状を付与することにより構成される。この凹状の反射面１４１は、光学加飾層１６との界面１４１ａでの反射による光彩・輝度に木漏れ日または小川の水の流れで反射するせせらぎ反射光に似た不規則に変化する光の明暗を生じせるものであり、その形状は数１に示す１／ｆゆらぎ関数ｆ（ｘ）より決定される。
【００５２】
【数１】
2010023448.tif 000003
すなわち、１／ｆゆらぎ関数ｆ（ｘ）で決定される凹状の反射面１４１は、周波数の違う複数のサイン曲線（２ｉｘ：周波数）に適当な係数２−ｉ（２−ｉ：振幅（強さ））をかけて加算した形状となる。これをグラフに表すと図７に示す曲線７１１のようになる。
【００５３】
なお、符号７１２は周波数の異なる複数のサイン曲線を示す。また、１／ｆは、１／ｆゆらぎ関数ｆ（ｘ）を決める周波数成分の強さ、すなわち振幅が周波数ｆに反比例する式を表している。
【００５４】
上記反射面１４１は、図３〜図５に示すように、予め決めた一定の間隔Ｌ（０<Ｌ<１０ｍｍ）で行、列方向に連続して配列され、そして、互いに隣接する各行の反射面１４１ｃは列方向に１Ｌ分ずらして配列されている。また、行、列方向の凹状反射面１４１の深さｈは、０≦ｈ≦２０ｍｍの範囲に設定される。また、行、列方向の凹状反射面１４１の反射角θ１は、その材質がポリカーボネートの場合、約４０度であり、さらに、行、列方向の凹状反射面１４１の傾斜角θ２は、０≦θ２≦９０°の範囲に設定される。
【００５５】
なお、本発明における反射面は、上記実施の形態１における反射面１４１のように凹状のものに限らず、凸状の反射面または凹状と凸状の反射面を組み合わせたものであってもよい。
【００５６】
この場合、三次元形状の凹状反射面の深さは、同一深さのものに限らず、深さの異なる凹状反射面であることが望ましい。また、三次元形状の凸状反射面である場合、その高さは、同一高さのものに限らず、高さの異なる凸状反射面でもよい。
【００５７】
このような本実施の形態１に示す装飾物品１０において、カバー部材１３の外表面が、各種照明灯の光または太陽光のような自然光などの照明光１５により照射されると、この照明光１５は図６に示すように入射光１５ａとなってカバー部材１３を透過し装飾基材１１内を進行して凹状の三次元形状を呈する複数の反射面１４１に達する。そして、反射面１４１に達した入射光１５ａの一部は１／ｆゆらぎ関数ｆ（ｘ）より決定された反射面１４１の凹状三次元形状に応じて矢印１５ｂのように装飾基材１１の表面１１ａ側に向け再反射される。これに伴い、装飾基材１１を透過してカバー部材１３の外表面に出射される反射光１５ｂの光彩及び輝度に、１／ｆゆらぎ関数ｆ（ｘ）に応じて不規則に変化する、木漏れ日または小川の水の流れで反射するせせらぎ反射光に似た光の明暗模様パターンを生じさせるとともに光波長のシフトによる色収差を生じさせる。
【００５８】
一方、複数の反射面１４１と光学加飾層１６との界面１４１ａを透過して光学加飾層１６に入射する入射光１５ｃのうち、光学加飾層１６の屈折率と膜厚で決定される特定の色の波長の光、例えば青色の波長に相当する光が光学加飾層１６で回折分離され、装飾模様１４を含む反射部１４１の裏面１１ｂに向けて再反射される。これにより、装飾物品１０の表面には、図１に示すようなモルフォ蝶をデザイン化してなる装飾模様１４が表示される。そして、複数の反射部１４１の配列パターンに応じて不規則に変化する光の明暗模様を光学加飾層１６で分離された色の光色で着色された装飾模様１４を表示できる。
【００５９】
なお、本実施の形態１において、光学加飾層１６を省いてもよい。
【００６０】
このような本実施の形態１に示す装飾物品１０によれば、製品を象る部品１２の天板部１２１の上面に当該上面が覆われるように装飾基材１１を設け、この装飾基材１１を含めた部品１２の外表面を透光性のカバー部材１３により覆い、そして、装飾基材１１の部品１２と対向する面に形成された装飾模様１４を、三角屋根型の三次元形状を呈する複数の凹状反射面１４１を部品１２と対向する面に沿い二次元方向に配列形成することで構成し、この複数の反射面１４１で反射されて装飾基材１１及びカバー部材１３を通し外側へ透過する反射光の光彩及び輝度に１／ｆゆらぎに相当して不規則に変化する光の明暗模様を生じさせるように構成したので、装飾模様１４に生じる光の明暗模様に自然界の木漏れ日または小川の水の流れで反射するせせらぎ反射光に似た不規則に変化する光彩効果を発揮させることができるとともに装飾模様を可視領域の光の色で輝光表示でき、かつ装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【００６１】
また、本実施の形態１によれば、装飾基材１１の裏面１１ｂに装飾模様１４を含めた裏面１１ｂの全域が覆われるように設けた光学加飾層１６は、低屈折の薄膜層１６１と高屈折の薄膜層１６２とを複数積層したものから構成したので、反射面１４１と光学加飾層１６との界面１４１ａを透過して光学加飾層１６に入射する入射光のうち、光学加飾層１６の屈折率と膜厚で決定される特定の色の波長の光を回折分離して、反射部１４１に向けて再反射させることができる。これにより、装飾模様１４の光の明暗模様を光学加飾層１６で回折分離された光の色に着色して輝光表示でき、装飾物品の光学的装飾性を更に向上できる。
【００６２】
また、本実施の形態１によれば、天板部１３１及び縁部１３２を含むカバー部材１３の外表面が塗装膜１７で覆われているので、装飾物品の見栄えを色彩の面から一層強調でき、装飾物品の光学的装飾性を向上できる。
【００６３】
さらに、本実施の形態１によれば、装飾模様を構成する複数の反射面が同一深さ及び／または深さの異なる複数の三次元形状の凹状反射面を二次元方向にランダムなピッチで配列することにより、装飾模様の自然な光彩効果を更に向上でき、装飾物品の光学的装飾性を向上できる。
【００６４】
また、本実施の形態１によれば、装飾基材１１を有色透明な材質で成形することにより、装飾物品の見栄えを色彩の面から強調することができる。
（実施の形態２）
図８は本発明を宝石箱の蓋などに適用した場合の他の例を示す装飾物品の平面図、図９は図８の９−９線に沿う拡大断面図、図１０は本実施の形態２における装飾基材の光学加飾層を取り除いて装飾基材を裏面（光入射面と反対の面に相当する）側から見た時の反射部の一例を示す一部の拡大斜視図、図１１は図１０の１１−１１線に沿う箇所のカバー部材、装飾基材、光学加飾層及び部品を含めた装飾物品の一部を拡大して示す断面図、図１２は図１０の１２−１２線に沿う箇所のカバー部材、装飾基材、光学加飾層及び部品を含めた装飾物品の一部を拡大して示す断面図、図１３は本実施の形態２における装飾物品の反射部及び光学加飾層の光に対する作用を模式的に示す断面図である。
【００６５】
本実施の形態２に示す装飾物品２０は、図８及び図９に示すように、装飾基材２１、部品２２、カバー部材２３、光学加飾層２６などを含んで構成される。
【００６６】
部品２２は、図８及び図９に示すように、宝石箱の蓋等に相当する製品を象るもので、矩形状の天板部２２１と、この天板部２２１の周縁に下方へ直角に折り曲げて一体に形成された縁部２２２とを備える。このような部品２２は非透光性の樹脂材により成形されている。
【００６７】
装飾基材２１は、部品２２に光学的装飾を与えるもので、図９に示すように、アクリルやポリカーボネートなどの透光性の合成樹脂材またはガラス等の透光材からなり、部品２２の天板部２２１の上面全域を覆う大きさの表面積を有する矩形板状を呈している。
【００６８】
装飾基材２１の光入射面（上面）２１ａと反対の面である裏面２１ｂには、例えばモルフォ蝶をデザイン化してなる装飾模様２４が形成されている。
【００６９】
また、装飾模様２４を含む装飾基材２１の裏面２１ｂと対向する部品２２の天板部２２１の上面には光学加飾層２６が設けられている。
【００７０】
光学加飾層２６は、後述する反射面２４１で反射される反射光の光彩、輝度を助長するもので、図１３に示すように、低屈折の薄膜層２６１と高屈折の薄膜層２６２を交互に複数、例えば５〜１０層積層することで構成される。このような構造の光学加飾層２６は、積層される薄膜層２６１、２６２の屈折率と膜厚を変えることで特定の色の波長の光を回折し装飾基材２１の裏面２１ｂに向けて再反射する回折機能を備えている。
【００７１】
また、装飾模様２４を含む装飾基材２１の裏面２１ｂと光学加飾層２６との間には、０．２ｍｍ以上１０ｍｍ以下の空間２８が設けられている。
【００７２】
カバー部材２３は、装飾基材２１を保持するとともに装飾基材２１を含めた部品２２の外表面の全域を覆うもので、図９に示すように、装飾基材２１及び部品２２の天板表面全域を覆う表面積の天板部２３１と、この天板部２３１の周縁に下方へ直角に折り曲げられ部品２２の縁部２２２を覆うように形成された縁部２３２とを備える。このようなカバー部材２３は、無色透明または有色透明な透光性の樹脂材により成形されている。
【００７３】
また、天板部２３１及び縁部２３２を含むカバー部材２３の外表面は、図１１〜図１３に示すように、ワインカラーやシルバーなどの塗装膜２７で覆われている。
【００７４】
また、装飾基材２１はカバー部材２３内に、その天板部２３１の内面に接触した状態に装着されている。
【００７５】
なお、装飾基材２１の成形に使用される材質は、無色透明な合成樹脂材やガラスなどに限らず、有色透明または有色半透明な材料で成形することができる。
【００７６】
装飾模様２４は、図９及び図１０に示すように、装飾基材２１の光入射面２１ａと反対の面２１ｂに、三角屋根型の三次元形状を呈する複数の反射面２４１を反対の面２１ｂに沿いランダムなピッチで配列形成することで構成される。これにより、反射面２４１を装飾基材２１の光入射面２１ａ側から見た場合、反射面２４１の空間２８の空気との界面２４１ａは凹状の三次元形状を呈することになる。
【００７７】
このような反射面２４１は、装飾基材２１にその光入射面２１ａ側から入射された入射光を反射または透過するとともに当該反射する光の光彩・輝度に１／ｆゆらぎに相当して不規則に変化する光の明暗模様を生成し、装飾模様２４に光の明暗模様を付けるためのものである。
【００７８】
次に、反射面２４１で反射される反射光の光彩・輝度に不規則に変化させて装飾模様２４に光の明暗模様を生じさせる場合の具体例について、図１０〜図１２を参照して説明する。
【００７９】
反射面２４１は、図１０に示すように、三角屋根型の基本形状を呈し、この基本形状に１／ｆゆらぎを生じさせるのに必要な凹状の三次元形状を付与することで構成される。この凹状の反射面２４１は、その界面２４１ａでの反射による光彩・輝度に木漏れ日または小川の水の流れで反射するせせらぎ反射光に似た不規則に変化する光の明暗模様を生じせるものであり、その形状は上記数１に示す１／ｆゆらぎ関数ｆ（ｘ）より決定される。
【００８０】
すなわち、１／ｆゆらぎ関数ｆ（ｘ）で決定される凹状の反射面２４１は、周波数の違う複数のサイン曲線（２ｉｘ：周波数）に適当な係数２−ｉ（２−ｉ：振幅（強さ））をかけて加算した形状となる。これをグラフに表すと図７に示す曲線７１１のようになる。
【００８１】
上記反射面２４１は、図１０〜図１２に示すように、予め決めた一定の間隔Ｌ（０<Ｌ<１０ｍｍ）で行、列方向に連続して配列され、そして、互いに隣接する各行の反射面２４１ｃは列方向に１Ｌ分ずらして配列されている。また、行、列方向の凹状反射面２４１の深さｈは、０≦ｈ≦２０ｍｍの範囲に設定される。また、行、列方向の凹状反射面２４１の反射角θ１は、その材質がポリカーボネートの場合、約４０度であり、さらに、行、列方向の凹状反射面２４１の傾斜角θ２は、０≦θ２≦９０°の範囲に設定される。
【００８２】
なお、本発明における反射面は、上記実施の形態２における反射面２４１のように凹状のものに限らず、凸状の反射面または凹状と凸状の反射面を組み合わせたものであってもよい。
【００８３】
この場合、三次元形状の凹状反射面の深さは、同一深さのものに限らず、深さの異なる凹状反射面であることが望ましい。また、三次元形状の凸状反射面である場合、その高さは、同一高さのものに限らず、高さの異なる凸状反射面でもよい。
【００８４】
このような本実施の形態２に示す装飾物品２０において、カバー部材２３の外表面が、各種照明灯の光または太陽光のような自然光などの照明光１５により照射されると、この照明光１５は図１３に示すように入射光１５ａとなってカバー部材２３を透過し装飾基材２１内を進行して凹状の三次元形状を呈する複数の反射面２４１に達する。そして、反射面２４１に達した入射光１５ａの一部は１／ｆゆらぎ関数ｆ（ｘ）より決定された反射面２４１の凹状三次元形状に応じて矢印１５ｂのように装飾基材２１の表面２１ａ側に向け再反射される。これに伴い、装飾基材２１を透過してカバー部材２３の外表面に出射される反射光１５ｂの光彩及び輝度に、１／ｆゆらぎ関数ｆ（ｘ）に応じて不規則に変化する、木漏れ日または小川の水の流れで反射するせせらぎ反射光に似た光の明暗模様パターンを生じさせるとともに光波長のシフトによる色収差を生じさせる。
【００８５】
一方、複数の反射面２４１と光学加飾層２６との界面２４１ａを透過し、かつ空間２８を通して光学加飾層２６に達した入射光１５ｃのうち、光学加飾層２６の屈折率と膜厚で決定される特定の色の波長の光、例えば青色の波長に相当する光が光学加飾層２６で分離され、装飾模様２４を含む反射部２４１の裏面２１ｂに向けて再反射される。これにより、装飾物品２０の表面には、図８に示すようなモルフォ蝶をデザイン化してなる装飾模様２４が表示される。そして、複数の反射部２４１の配列パターンに応じて不規則に変化する装飾模様２４の光の明暗模様を光学加飾層２６で分離された光の色に着色できる。
【００８６】
なお、本実施の形態２において、光学加飾層２６を省いてもよい。
【００８７】
このような本実施の形態２に示す装飾物品２０によれば、製品を象る部品２２を覆うカバー部材２３の天板部２３１内面に装飾基材２１を設け、この装飾基材２１の部品２２の天板部２２１と対向する面に装飾模様２４を形成し、この装飾模様２４を、三角屋根型の三次元形状を呈する複数の凹状反射面２４１を装飾基材２１の裏面に沿い二次元方向に配列形成することで構成したので、装飾模様２４に生じる光の明暗模様に自然界の木漏れ日または小川の水の流れで反射するせせらぎ反射光に似た不規則に変化する光彩効果を発揮させることができるとともに装飾模様を可視領域の光の色で輝光表示でき、かつ装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【００８８】
また、本実施の形態２によれば、部品２２の天板部２２１の上面に光学加飾層２６を設け、この光学加飾層２６を低屈折の薄膜層２６１と高屈折の薄膜層２６２とを複数積層したものから構成したので、反射面２４１と空間２８との界面２４１ａを透過し空間２８を通して光学加飾層２６に入射する入射光のうち、光学加飾層２６の屈折率と膜厚及び空間２８で決定される特定の色の波長の光を回折分離して、装飾模様２４を含む反射部２４１の裏面２１ｂに向けて再反射させることができる。これにより、装飾模様２４の光の明暗模様を光学加飾層２６で分離された光の色に着色して輝光表示することができ、装飾物品の光学的装飾性を更に向上できる。
【００８９】
また、本実施の形態２によれば、天板部２３１及び縁部２３２を含むカバー部材２３の外表面が塗装膜２７で覆われているので、装飾物品の見栄えを色彩の面から一層強調することができ、装飾物品の光学的装飾性を向上できる。
【００９０】
さらに、本実施の形態２によれば、装飾模様を構成する複数の反射面が同一深さ及び／または深さの異なる複数の三次元形状の凹状反射面を二次元方向にランダムなピッチで配列することにより、装飾模様の自然な光彩効果を更に向上でき、装飾物品の光学的装飾性を向上できる。
【００９１】
また、本実施の形態２によれば、装飾基材２１を有色透明な材質で成形することにより、装飾物品の見栄えを色彩の面から強調することができる。
（実施の形態３）
図１４は本発明を宝石箱の蓋などに適用した場合の更に他の例を示す装飾物品の平面図、図１５は図１４の１５−１５線に沿う拡大断面図、図１６は本実施の形態３における装飾基材の光学加飾層を取り除いて装飾基材を裏面（光入射面と反対の面に相当する）側から見た時の反射部の一例を示す一部の拡大斜視図、図１７は図１６の１７−１７線に沿う箇所のカバー部材、装飾基材、光学加飾層及び部品を含めた装飾物品の一部を拡大して示す断面図、図１８は図１６の１８−１８線に沿う箇所のカバー部材、装飾基材、光学加飾層及び部品を含めた装飾物品の一部を拡大して示す断面図、図１９は本実施の形態３における装飾物品の反射部及び光学加飾層の光に対する作用を模式的に示す断面図である。
【００９２】
本実施の形態３に示す装飾物品３０は、図１４及び図１５に示すように、装飾基材３１、部品３２、カバー部材３３などを含んで構成される。
【００９３】
部品３２は、図１４及び図１５に示すように、宝石箱の蓋等に相当する製品を象るもので、矩形状の天板部３２１と、この天板部３２１の周縁に下方へ直角に折り曲げて一体に形成された縁部３２２とを備える。このような部品３２は非透光性の樹脂材により成形されている。
【００９４】
装飾基材３１は、部品３２に光学的装飾を与えるもので、図１５に示すように、アクリルやポリカーボネートなどの透光性の合成樹脂材またはガラス等の透光材からなり、部品３２の天板部３２１の上面全域を覆う大きさの表面積を有する矩形板状を呈している。
【００９５】
装飾基材３１の光入射面（上面）３１ａと反対の面である裏面３１ｂには、例えばモルフォ蝶をデザイン化してなる装飾模様３４が形成されている。
【００９６】
カバー部材３３は、装飾基材３１を保持するとともに装飾基材３１を含めた部品３２の外表面の全域を覆うもので、図１５に示すように、装飾基材３１及び部品３２の天板表面全域を覆う表面積の天板部３３１と、この天板部３３１の周縁に下方へ直角に折り曲げられ部品３２の縁部３２２を覆うように形成された縁部３３２とを備える。このようなカバー部材３３は、無色透明または有色透明な透光性の樹脂材により成形されている。
【００９７】
また、天板部３３１及び縁部３３２を含むカバー部材３３の外表面は、図１６〜図１８に示すように、ワインカラーやシルバーなどの塗装膜３７で覆われている。
【００９８】
また、装飾基材３１はカバー部材３３内に、その天板部３３１の内面に接触した状態に装着されている。
【００９９】
また、装飾模様３４を含む装飾基材３１の裏面３１ｂと部品３２の天板部３２１の上面との間には、０．２ｍｍ以上１０ｍｍ以下の空間３８が設けられている。
【０１００】
なお、装飾基材３１の成形に使用される材質は、無色透明な合成樹脂材やガラスなどに限らず、有色透明または有色半透明な材料で成形することができる。
【０１０１】
装飾模様３４は、図１５及び図１６に示すように、装飾基材３１の光入射面３１ａと反対の面３１ｂに、三角屋根型の三次元形状を呈する複数の反射面３４１を反対の面３１ｂに沿いランダムなピッチで配列形成することで構成される。これにより、反射面３４１を装飾基材３１の光入射面３１ａ側から見た場合、反射面３４１の空間３８の空気との界面３４１ａは凹状の三次元形状を呈することになる。
【０１０２】
このような反射面３４１は、装飾基材３１にその光入射面３１ａ側から入射された入射光を反射または透過するとともに当該反射する光の光彩・輝度に１／ｆゆらぎに相当して不規則に変化する光の明暗模様を生成し、装飾模様３４に光の明暗模様を付けるためのものである。
【０１０３】
次に、反射面３４１で反射される反射光の光彩・輝度に不規則に変化させて装飾模様３４に光の明暗模様を生じさせる場合の具体例について、図１６〜図１９を参照して説明する。
【０１０４】
反射面３４１は、図１６に示すように、三角屋根型の基本形状を呈し、この基本形状に１／ｆゆらぎを生じさせるのに必要な凹状の三次元形状を付与することで構成される。この凹状の反射面３４１は、その界面３４１ａでの反射による光彩・輝度に木漏れ日または小川の水の流れで反射するせせらぎ反射光に似た不規則に変化する光の明暗模様を生じせるものであり、その形状は上記数１に示す１／ｆゆらぎ関数ｆ（ｘ）より決定される。
【０１０５】
すなわち、１／ｆゆらぎ関数ｆ（ｘ）で決定される凹状の反射面３４１は、周波数の違う複数のサイン曲線（２ｉｘ：周波数）に適当な係数２−ｉ（２−ｉ：振幅（強さ））をかけて加算した形状となる。これをグラフに表すと図７に示す曲線７１１のようになる。
【０１０６】
上記反射面３４１は、図１６〜図１８に示すように、予め決めた一定の間隔Ｌ（０<Ｌ<１０ｍｍ）で行、列方向に連続して配列され、そして、互いに隣接する各行の反射面３４１ｃは列方向に１Ｌ分ずらして配列されている。また、行、列方向の凹状反射面３４１の深さｈは、０≦ｈ≦２０ｍｍの範囲に設定される。また、行、列方向の凹状反射面３４１の反射角θ１は、その材質がポリカーボネートの場合、約４０度であり、さらに、行、列方向の凹状反射面３４１の傾斜角θ２は、０≦θ２≦９０°の範囲に設定される。
【０１０７】
なお、本発明における反射面は、上記実施の形態３における反射面３４１のように凹状のものに限らず、凸状の反射面または凹状と凸状の反射面を組み合わせたものであってもよい。
【０１０８】
この場合、三次元形状の凹状反射面の深さは、同一深さのものに限らず、深さの異なる凹状反射面であることが望ましい。また、三次元形状の凸状反射面である場合、その高さは、同一高さのものに限らず、高さの異なる凸状反射面でもよい。
【０１０９】
このような本実施の形態３に示す装飾物品３０において、カバー部材３３の外表面が、各種照明灯の光または太陽光のような自然光などの照明光１５により照射されると、この照明光１５は図１９に示すように入射光１５ａとなってカバー部材３３を透過し装飾基材３１内を進行して凹状の三次元形状を呈する複数の反射面３４１に達する。そして、反射面３４１に達した入射光１５ａの一部は１／ｆゆらぎ関数ｆ（ｘ）より決定された反射面３４１の凹状三次元形状に応じて矢印１５ｂのように装飾基材３１の表面３１ａ側に向け再反射される。これに伴い、装飾基材３１を透過してカバー部材３３の外表面に出射される反射光１５ｂの光彩及び輝度に、１／ｆゆらぎ関数ｆ（ｘ）に応じて不規則に変化する、木漏れ日または小川の水の流れで反射するせせらぎ反射光に似た光の明暗模様パターンを生じさせるとともに光波長のシフトによる色収差を生じさせる。
【０１１０】
このような本実施の形態３に示す装飾物品３０によれば、製品を象る部品３２を覆うカバー部材３３の天板部３２１内面に装飾基材３１を設け、この装飾基材３１の部品３２の天板部３２１と対向する面に装飾模様３４を形成し、この装飾模様３４を、三角屋根型の三次元形状を呈する複数の凹状反射面３４１を装飾基材３１の裏面に沿い二次元方向に配列形成することで構成したので、装飾模様３４に生じる光の明暗模様に自然界の木漏れ日または小川の水の流れで反射するせせらぎ反射光に似た不規則に変化する光彩効果を発揮させることができるとともに装飾模様を可視領域の光の色で輝光表示でき、かつ装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【０１１１】
また、本実施の形態３によれば、天板部３３１及び縁部３３２を含むカバー部材３３の外表面が塗装膜３７で覆われているので、装飾物品の見栄えを色彩の面から一層強調することができ、装飾物品の光学的装飾性を向上できる。
【０１１２】
さらに、本実施の形態３によれば、装飾模様を構成する複数の反射面が同一深さ及び／または深さの異なる複数の三次元形状の凹状反射面を二次元方向にランダムなピッチで配列することにより、装飾模様の自然な光彩効果を更に向上でき、装飾物品の光学的装飾性を向上できる。
（実施の形態４）
図２０は本発明を宝石箱の蓋などに適用した場合の更に他の例を示す装飾物品の拡大断面図である。
【０１１３】
本実施の形態４に示す装飾物品４０は、図２０に示すように、部品４２、カバー部材４３、光学加飾層４６などを含んで構成される。
【０１１４】
部品４２は、図２０に示すように、宝石箱の蓋等に相当する製品を象るもので、矩形状の天板部４２１と、この天板部４２１の周縁に下方へ直角に折り曲げて一体に形成された縁部４２２とを備える。このような部品４２は非透光性の樹脂材により成形されている。
【０１１５】
カバー部材４３は、天板部４２１及び縁部４２２を含めた部品４２の外表面の全域を覆うもので、部品４２はカバー部材４３内に密嵌合状態に組み付けられている。
【０１１６】
このカバー部材４３は、図２０に示すように、部品４２の天板表面全域を覆う大きさの表面積を有する天板部４３１と、この天板部４３１の周縁に下方へ直角に折り曲げられ部品４２の縁部４２２を覆うように形成された縁部４３２とを備える。このようなカバー部材４３は、無色透明または有色透明な透光性の樹脂材により成形されている。
【０１１７】
また、カバー部材４３の天板部４３１の内面、すなわちカバー部材４３の上面に相当する光入射面４３ａと反対の面４３ｂには、例えばモルフォ蝶をデザイン化してなる装飾模様４４が形成されている。
【０１１８】
また、装飾模様４４を含むカバー部材４３の天板部４３１の内面と部品４２の天板部４２１の上面との間には、０．２ｍｍ以上１０ｍｍ以下の空間４８が設けられている。
【０１１９】
装飾模様４４は、例えば図１６に示すような三角屋根型の三次元形状を呈する複数の反射面４４１を天板部４３１の内面に沿いランダムなピッチで配列形成することで構成される。これにより、反射面４４１を天板部４３１の内面側から見た場合、反射面４４１の空間４８の空気との界面４４１ａは凹状の三次元形状を呈する。
【０１２０】
このような反射面４４１は、カバー部材４３の光入射面４３ａ側から入射された照明灯などからの入射光を反射または透過するとともに当該反射する光の光彩・輝度に１／ｆゆらぎに相当して不規則に変化する光の明暗模様を生成し、装飾模様４４に光の明暗模様を付けるようになっている。
【０１２１】
また、反射面４４１を天板部４３１の内面と対向する部品４２の天板部４２１の上面には光学加飾層４６が設けられている。この光学加飾層４６は、カバー部材４３の天板部４３１を透過してきた光をカバー部材４３の天板部４３１に向け再反射して反射面４４１で反射される反射光の光彩、輝度を助長するものである。
【０１２２】
このような光学加飾層４６は、反射フィルムから構成される。
【０１２３】
反射フィルムには、カバー部材４３の天板部４３１を透過してきた光を反射拡散して天板部４３１に向け再反射させるもので、ポリエチレンテレタフレート（ＰＥＴ）フィルムなどの樹脂フィルムに銀を蒸着したタイプやアルミなどの金属箔をラミネートしたものなどが使用される。また、樹脂フィルムには赤、青、緑等の種々の色に着色した有色透明なカラーフィルムが使用される。
【０１２４】
なお、天板部４３１及び縁部４３２を含むカバー部材４３の外表面をワインカラーやシルバーなどの塗装膜で覆う構成にしてもよい。
【０１２５】
このような本実施の形態４に示す装飾物品４０においては、上記実施の形態１〜３と同様に、装飾模様４４に生じる光の明暗模様に自然界の木漏れ日または小川の水の流れで反射するせせらぎ反射光に似た不規則に変化する光彩効果を発揮させることができるとともに装飾模様を可視領域の光の色で輝光表示でき、装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【０１２６】
また、本実施の形態４によれば、光学加飾層４６に反射フィルムを用いることにより、装飾模様を見る看者が心地よいと感じる自然な光彩効果を更に高めることができ、装飾物品見栄えを更に強調することができる。
（実施の形態５）
図２１は本発明を宝石箱の蓋などに適用した場合の更に他の例を示す装飾物品の拡大断面図である。
【０１２７】
本実施の形態５に示す装飾物品５０は、図２１に示すように、装飾基材５１、部品５２、カバー部材５３、光学加飾層５６などを含んで構成される。
【０１２８】
部品５２は、図２１に示すように、宝石箱の蓋等に相当する製品を象るもので、矩形状の天板部５２１と、この天板部５２１の周縁に下方へ直角に折り曲げて一体に形成された縁部５２２とを備える。このような部品５２は非透光性の樹脂材により成形されている。
【０１２９】
装飾基材５１は、部品５２に光学的装飾を与えるもので、図２１に示すように、アクリルやポリカーボネートなどの透光性の合成樹脂材またはガラス等の透光材からなり、部品５２の天板部５２１の上面全域を覆う大きさの表面積を有する矩形板状を呈している。
【０１３０】
装飾基材５１の光入射面（上面）５１ａと反対の面である裏面５１ｂには、例えばモルフォ蝶をデザイン化してなる装飾模様５４が形成されている。
【０１３１】
また、装飾模様５４を含む装飾基材５１の裏面５１ｂと対向する部品５２の天板部５２１の上面の少なくとも装飾模様５４と対向する箇所には、カバー部材５３を透過してきた光をカバー部材５３に向け再反射させるとともに当該反射光の光彩・輝度に不規則に変化する１／ｆゆらぎを与えて装飾模様５４に生じる光の明暗模様を強調するための三次元形状を呈する複数の凹状または凸状の反射面５５が部品５２の天板表面に沿い二次元方向に配列形成されている。
【０１３２】
光学加飾層５６は、反射面５５で再反射される光を効率良く装飾模様５４側へ反射させるためので、高反射率の反射層、または図１３に示すような低屈折の薄膜層と高屈折の薄膜層を交互に複数、例えば５〜１０層積層したものから構成される。
【０１３３】
低屈折の薄膜層と高屈折の薄膜層を複数積層してなる光学加飾層は、積層される薄膜層の屈折率と膜厚を変えることで特定の色の波長の光を回折し装飾基材５１の裏面５１ｂに向けて再反射する回折機能が発揮される。
【０１３４】
また、装飾模様５４を含む装飾基材５１の裏面５１ｂと光学加飾層５６との間には、０．２ｍｍ以上１０ｍｍ以下の空間５８が設けられている。
【０１３５】
カバー部材５３は、装飾基材５１を保持するとともに装飾基材５１を含めた部品５２の外表面の全域を覆うもので、図２１に示すように、装飾基材５１及び部品５２の天板表面全域を覆う表面積の天板部５３１と、この天板部５３１の周縁に下方へ直角に折り曲げられ部品５２の縁部５２２を覆うように形成された縁部５３２とを備える。このようなカバー部材５３は、無色透明または有色透明な透光性の樹脂材により成形されている。
【０１３６】
なお、天板部５３１及び縁部５３２を含むカバー部材５３の外表面は、図示省略したワインカラーやシルバーなどの塗装膜で覆われている。
【０１３７】
また、装飾基材５１はカバー部材５３内に、その天板部５３１の内面に接触した状態に装着されている。
【０１３８】
また、装飾基材５１の成形に使用される材質は、無色透明な合成樹脂材やガラスなどに限らず、有色透明または有色半透明な材料で成形することができる。
【０１３９】
装飾模様５４は、装飾基材５１の光入射面５１ａと反対の面５１ｂに、例えば図１６に示すような三角屋根型の三次元形状を呈する複数の反射面５４１を反対の面５１ｂに沿いランダムなピッチで配列形成することで構成される。これにより、反射面５４１を装飾基材５１の光入射面５１ａ側から見た場合、反射面５４１の空間５８との界面５４１ａは凹状の三次元形状を呈することになる。
【０１４０】
このような反射面５４１は、装飾基材５１にその光入射面５１ａ側から入射された入射光を反射または透過するとともに当該反射する光の光彩・輝度に１／ｆゆらぎに相当して不規則に変化する光の明暗模様を生成し、装飾模様５４に光の明暗模様を付けるためのものである。
【０１４１】
なお、実施の形態５において、カバー部材５３の天板部５３１の内面に、図２０に示した、自然界の木漏れ日または小川の水の流れで反射するせせらぎ反射光に似た不規則に変化する光の明暗模様を生じさせるための三次元形状の凹状または凸状の複数の反射面を形成することができる。
【０１４２】
このような実施の形態５においては、上記各実施の形態と同様に、装飾模様５４に生じる光の明暗模様に自然界の木漏れ日または小川の水の流れで反射するせせらぎ反射光に似た不規則に変化する光彩効果を発揮させることができるとともに装飾模様を可視領域の光の色で輝光表示でき、装飾模様に１／ｆゆらぎによる変化に富んだ見栄えの良い光学的装飾を施すことができ、併せて見る者の視覚に作用して、癒し、くつろぎ、または安らぎを与える光学的装飾効果を発揮できる。
【０１４３】
しかも、三次元形状を呈する複数の凹状または凸状の反射面５５を部品５２の天板表面に沿い二次元方向に配列形成したので、カバー部材５３の天板部５３１を透過してくる光をカバー部材５３へ再反射させるとともに当該反射光の光彩及び輝度に不規則に変化する１／ｆゆらぎを生じさせることができる。これにより、装飾模様５４に生じる光の明暗模様の光彩効果を、装飾模様５４を複数の反射面５４１で構成する場合よりも更に向上でき、装飾物品の光学的装飾性を更に向上できる。
【０１４４】
また、本実施の形態５によれば、光学加飾層を備えているので、反射面で反射される反射光の光彩・輝度が助長され、装飾物品の光学的装飾性を更に向上できる。
【０１４５】
なお、本発明の装飾物品における反射面の基本形状は、上記実施の形態に示した三角屋根型のものに限らず、台形屋根型、半球屋根型、半楕円球屋根型等の同一深さまたは深さの異なる凹状の三次元形状及び／または同一高さまたは高さの異なる凸状の三次元形状を呈するものでもよく、当該反射面は前記光入射面と反対の面に沿い二次元方向にランダムなピッチで配列されて台形屋根型、半球屋根型の他、小反射部での反射光の光彩・輝度に不規則に変化する光の明暗模様を生じさせることができる形状のものであれば、どのような形状のものでも良い。
【０１４６】
また、本発明かかる装飾物品の三次元形状の反射面は、数１に示す１／ｆゆらぎ関数で決定される形状のものに限らず、乱数表を利用して凹状反射面の形状を決定するようにすることもできる。
【０１４７】
また、本発明にかかる装飾物品に形成される装飾模様は、本実施の形態に示したモルフォ蝶をデザイン化したものに限らず、車両用インストルメントパネルの装飾または家具の扉上面や引き出し用鏡板の装飾、携帯電話機本体の上面の装飾、電化製品の上面の装飾などに使用される装飾物品や、文字、ロゴマーク、木目などをデザイン化したものであってもよい。
【図面の簡単な説明】
【０１４８】
【図１】本発明を宝石箱の蓋などに適用した場合の一例を示す装飾物品の平面図である。
【図２】図１の２−２線に沿う拡大断面図である。
【図３】本実施の形態１における装飾基材の光学加飾層を取り除いて装飾基材を裏面（光入射面と反対の面に相当する）側から見た時の反射部の一例を示す一部の拡大斜視図である。
【図４】図３の４−４線に沿う箇所のカバー部材、装飾基材、光学加飾層及び部品を含めた装飾物品の一部を拡大して示す断面図である。
【図５】図３の５−５線に沿う箇所のカバー部材、装飾基材、光学加飾層及び部品を含めた装飾物品の一部を拡大して示す断面図である。
【図６】本実施の形態１における装飾物品の反射部及び光学加飾層の光に対する作用を模式的に示す断面図である。
【図７】本発明の１／ｆゆらぎ関数で決定される凹状反射面の形状特性を表した場合の一例を示すグラフである。
【図８】本発明を宝石箱の蓋などに適用した場合の他の例を示す装飾物品の平面図である。
【図９】図８の９−９線に沿う拡大断面図である。
【図１０】本実施の形態２における装飾基材の光学加飾層を取り除いて装飾基材を裏面（光入射面と反対の面に相当する）側から見た時の反射部の一例を示す一部の拡大斜視図である。
【図１１】図１０の１１−１１線に沿う箇所のカバー部材、装飾基材、光学加飾層及び部品を含めた装飾物品の一部を拡大して示す断面図である。
【図１２】図１０の１２−１２線に沿う箇所のカバー部材、装飾基材、光学加飾層及び部品を含めた装飾物品の一部を拡大して示す断面図である。
【図１３】本実施の形態２における装飾物品の反射部及び光学加飾層の光に対する作用を模式的に示す断面図である。
【図１４】本発明を宝石箱の蓋などに適用した場合の更に他の例を示す装飾物品の平面図である。
【図１５】図１４の１５−１５線に沿う拡大断面図である。
【図１６】本実施の形態３における装飾基材の光学加飾層を取り除いて装飾基材を裏面（光入射面と反対の面に相当する）側から見た時の反射部の一例を示す一部の拡大斜視図である。
【図１７】図１６の１７−１７線に沿う箇所のカバー部材、装飾基材、光学加飾層及び部品を含めた装飾物品の一部を拡大して示す断面図である。
【図１８】図１６の１８−１８線に沿う箇所のカバー部材、装飾基材、光学加飾層及び部品を含めた装飾物品の一部を拡大して示す断面図である。
【図１９】本実施の形態３における装飾物品の反射部及び光学加飾層の光に対する作用を模式的に示す断面図である。
【図２０】本発明を宝石箱の蓋などに適用した場合の更に他の例を示す装飾物品の拡大断面図である。
【図２１】本発明を宝石箱の蓋などに適用した場合の更に他の例を示す装飾物品の拡大断面図である。
【符号の説明】
【０１４９】
１０，２０，３０，４０，５０    装飾物品
１１，２１，３１，４１，５１    装飾基材
１２，２２，３２，４２，５２    部品
１３，２３，３３，４３，５３    カバー部材
１４，２４，３４，４４，５４    装飾模様
１４１，２４１，３４１，４４１，５４１    反射面
５５    反射面
１６，２６，５６    光学加飾層
１７，２７．３８，４８，５８    空間
【図１】
2010023448.tif 000004
【図２】
2010023448.tif 000005
【図３】
2010023448.tif 000006
【図４】
2010023448.tif 000007
【図５】
2010023448.tif 000008
【図６】
2010023448.tif 000009
【図７】
2010023448.tif 000010
【図８】
2010023448.tif 000011
【図９】
2010023448.tif 000012
【図１０】
2010023448.tif 000013
【図１１】
2010023448.tif 000014
【図１２】
2010023448.tif 000015
【図１３】
2010023448.tif 000016
【図１４】
2010023448.tif 000017
【図１５】
2010023448.tif 000018
【図１６】
2010023448.tif 000019
【図１７】
2010023448.tif 000020
【図１８】
2010023448.tif 000021
【図１９】
2010023448.tif 000022
【図２０】
2010023448.tif 000023
【図２１】
2010023448.tif 000024